(57)【特許請求の範囲】
【請求項１】
頂板２１の周囲に複数枚の側板２２を放射状に連設し、各側板２２の先端側にフランジ２３を設けると共に、隣り合う側板２２の基端部を繋いで抜止片２４を設け、頂板２１から各側板２２を下方へ折り曲げて支柱２８を形成し、支柱２８の上端稜部から抜止片２４を突出させ、フランジ２３を外側へ折り曲げて、隣り合う側板２２のフランジ２３を重ね合わせ、支柱２８を物品の穴に挿入して、箱内での物品の移動を阻止する段ボール製の梱包用固定材において、支柱２８の稜部となる側板２２の側縁部に、物品の穴の周縁が当接する部分から上下に延びる弱め線２５を入れたことを特徴とする梱包用固定材。
【請求項２】
請求項１に記載の梱包用固定材において、側板２２の側縁部に入れる弱め線２５を、押罫線２６と切目線２７とから形成したことを特徴とする梱包用固定材。
【請求項３】
物品を箱内で緩衝支持する段ボール製のパッドにおいて、基材１の敷板２に連設した台部材５を巻き込んで、敷板２の上面に載せるブロック体１８を形成し、敷板２及びブロック体１８に形成した挿入穴３，９に、請求項１又は２に記載した固定材２０の支柱２８を下方から挿入し、フランジ２３及び抜止片２４で挿入穴３，９から支柱２８を抜け止めしたことを特徴とする梱包用パッド。
【発明の詳細な説明】
【技術分野】
【０００１】
この発明は、照明器具等の物品の梱包に際し、箱内での物品の移動を阻止する段ボール製の固定材及びパッドに関するものである。
【背景技術】
【０００２】
従来、シーリングライト等の照明器具の梱包に際し、箱内での照明器具の移動を阻止する固定材として、プラスチック製の成形品が使用されていたが、コスト削減や環境負荷の低減のため、固定材の段ボール化が求められている。
【０００３】
このような要望に対応する固定材として、下記特許文献１には、頂板の周囲に複数枚の側板を放射状に連設して支柱を形成し、側板の下端にフランジを連設して、隣り合う側板のフランジを重ね、支柱の上端稜部に抜止片を設けた段ボール製のものが示されている。
【０００４】
【特許文献１】特開２００５−１８７０２９号公報
【発明の開示】
【発明が解決しようとする課題】
【０００５】
しかしながら、上記のような固定材では、輸送過程での落下等に伴い、大きな荷重が支柱に作用すると、照明器具の穴の周縁が支柱の稜部に局所的に食い込み、段ボールが破断して、照明器具を保持できなくなるおそれがある。
【０００６】
そこで、この発明は、大きな荷重が作用しても物品を保持できる段ボール製の梱包用固定材及びパッドを提供しようとするものである。
【課題を解決するための手段】
【０００７】
上記のような課題を解決するため、この発明は、頂板から各側板を下方へ折り曲げて支柱を形成し、支柱の上端稜部から抜止片を突出させ、側板の下端から延びるフランジを外側へ折り曲げて、隣り合う側板のフランジを重ね合わせ、支柱を物品の穴に挿入して、箱内での物品の移動を阻止する段ボール製の梱包用固定材において、支柱の稜部となる側板の側縁部に、物品の穴の周縁が当接する部分から上下に延びる弱め線を入れ、支柱の稜部が弱め線に沿って潰れるようにしたのである。
【０００８】
また、この弱め線を、押罫線と切目線とから形成し、段ボールの潰れが切目線から押罫線へ誘導されるようにしたのである。
【０００９】
さらに、物品を箱内で緩衝支持する段ボール製のパッドにおいて、基材の敷板に連設した台部材を巻き込んで、敷板の上面に載せるブロック体を形成し、敷板及びブロック体に形成した挿入穴に、前記固定材の支柱を下方から挿入し、フランジ及び抜止片で挿入穴から支柱を抜け止めし、ブロック体で物品を受け止めると共に、支柱の振れを防止することとしたのである。
【発明の効果】
【００１０】
この固定材を備えたパッドを使用して物品を梱包すると、輸送時の落下等に伴い、支柱に大きな荷重が作用しても、支柱の稜部が弱め線に沿って潰れることにより、弱め線の周囲に荷重が分散して吸収されるので、支柱の稜部から段ボールの破断が拡大せず、また、ブロック体により基材に対する固定材の振れが防止され、物品を箱内の所定の位置に安定して保持することができ、物品の破損を防止することができる。
【発明を実施するための最良の形態】
【００１１】
以下、この発明の実施形態を添付図面に基づいて説明する。ここで示すパッドは、シーリングライト等の照明器具の梱包に使用するものであり、図１乃至図４に示す段ボールのブランクから形成される。
【００１２】
図１に示す基材１のブランクでは、敷板２の中央部に、十字状の切目線を入れて固定材の挿入穴３が設けられ、４枚の三角状の折上片４が形成されている。敷板２の一側には台部材５が設けられ、この台部材５は、２本の切目線に挟まれた台板６の先端側に底重板７を連設し、台板６と敷板２及び底重板７の境界部に、切目線で分割して千鳥状に配置した複数の段板８を設けたものとされている。台板６と底重板７には、敷板２の挿入穴３に対応した挿入穴９が設けられている。
【００１３】
また、敷板２の他側の中間部には、切込により係合片１０が設けられ、敷板２と台板６の境界部の段板８から台板６にかけて、係合片１０が係合する係合穴１１が形成されている。敷板２の他側の端部には、端立板１２が連設され、端立板１２には、把手穴１３と係止突起１４とが設けられている。
【００１４】
さらに、敷板２の一隅部には、引掛シーリングの載置片１５が設けられ、敷板２の端部には把手穴１６が設けられている。また、敷板２の他側には、積上時に他のパッドの固定材が挿入される挿入穴１７が設けられている。
【００１５】
一方、図２に示す固定材２０のブランクでは、正方形の頂板２１の周囲に４枚の側板２２が放射状に連設され、各側板２２の先端側にはフランジ２３が、隣り合う側板２２の基端部間には抜止片２４がそれぞれ設けられている。各側板２２の両側縁部には、波状の弱め線２５が入れられ、弱め線２５は、押罫線２６と、段ボールの潰れを押罫線２６へ誘導する切目線２７とから形成されている。ここで、弱め線２５の押罫線２６と切目線２７とは、連続する一枚の刃で形成できるので、コストの増加が抑制される。
【００１６】
また、図３に示す管支持材３０のブランクでは、矩形の頂板３１の両端に側板３２が連設され、側板３２の両側に、環状蛍光管に嵌合する半円状の切込を入れた嵌合板３３が連設されている。
【００１７】
また、図４に示す管仕切材３５のブランクでは、大径の環状蛍光管と小径の環状蛍光管の間に挟まれる帯板に、多数の罫線が幅方向に入れられている。
【００１８】
そのほか、図４に示す管巻材４０のブランクでは、照明器具の外周に巻かれる２列の帯状外包板４１が切目線を介して並行し、外包板４１の両端の端板４２が罫線を介して繋がれている。外包板４１には、複数の罫線が幅方向に入れられ、照明器具を上方から押圧する押圧板４３と、基材１の係止突起１４が差し込まれる係止穴４４とが設けられている。
【００１９】
いま、上記のような固定材２０のブランクを組み立てるには、図５に示すように、頂板２１から各側板２２を下方へ折り曲げて支柱２８を形成し、支柱２８の上端稜部から抜止片２４を突出させ、フランジ２３を外側へ折り曲げて、隣り合う側板２２のフランジ２３を重ね合わせる。
【００２０】
また、基材１を組み立てるには、図６に示すように、敷板２から台部材５の台板６、底重板７及び段板８を巻き込んで、敷板２の上面に載せるブロック体１８を形成し、係合片１０を係合穴１１に係合させ、ブロック体１８を保形する。その後、敷板２及びブロック体１８の挿入穴３，９に、固定材２０の支柱２８を下方から挿入し、フランジ２３及び抜止片２４により、支柱２８の挿入穴３，９からの抜け出しを防止する。
【００２１】
この状態では、隣り合う段板８が交互に傾斜して、ブロック体１８は圧縮強度に優れた構造となり、挿入穴３への支柱２８の挿入に際し、折上片４が上方に折り曲げられ、側板２２に密着し、側板２２と挿入穴９の周縁との間に挟まれて、その摩擦により、固定材２０が基材１に堅固に取り付けられる。
【００２２】
このように固定材２０を装着した基材１を使用して照明器具Ｌを梱包する際には、照明器具Ｌの本体の中心部に設けられた穴ｈに支柱２８を挿入して、照明器具Ｌの本体をブロック体１８で支持し、引掛シーリングＳを載置片１５に載せて、テープ等で固定する。このとき、照明器具Ｌの穴ｈの周縁が支柱２８の弱め線２５の中央部付近に当接する。
【００２３】
次に、図７に示すように、管支持材３０において、頂板３１から側板３２を下方へ折り曲げ、嵌合板３３を外側へ拡がるように折り曲げて、嵌合板３３の切込に大径及び小径の環状蛍光管を係合させ、環状に曲げた管仕切材３５を、大径の環状蛍光管と小径の環状蛍光管の間に挟み、環状蛍光管の相互衝突による破損を防止する。
【００２４】
その後、管巻材４０において、繋がった端板４２を罫線で折り曲げ、対向する外包材４１を環状に曲げて、図８に示すように、セードを被せた照明器具Ｌの外周に外包板４１を巻き付け、内側へ折り曲げた押圧板４３でセードを押さえるように、基材１に管巻材４０をセットし、端立板１２を起立させ、係止突起１４を係止穴４４に押し込んで、照明器具Ｌをパッドと共に箱４５に収納する。
【００２５】
このように照明器具Ｌを梱包すると、輸送時の落下等に伴い、支柱２８に大きな荷重が作用しても、支柱２８の稜部が弱め線２５に沿って潰れることにより、弱め線２５の周囲に荷重が分散して吸収されるので、支柱２８の稜部から段ボールの破断が拡大することがなく、また、ブロック体１８により基材１に対する固定材２０の振れが防止され、照明器具Ｌを箱４５の内部の所定の位置に安定して保持することができ、照明器具Ｌの破損を防止することができる。
【００２６】
なお、上記実施形態では、固定材２０として、支柱２８が四角柱のものを例示したが、支柱２８は、三角柱や六角柱等、四角柱以外の多角柱としてもよい。
【図面の簡単な説明】
【００２７】
【図１】この発明に係るパッドの基材のブランクを示す図
【図２】同上の固定材のブランクを示す図
【図３】同上の管支持材のブランクを示す図
【図４】同上の管仕切材及び管巻材のブランクを示す図
【図５】同上の固定材の組立状態を示す斜視図
【図６】同上の基材及び固定材の使用状態を示す斜視図
【図７】同上の梱包過程を示す斜視図
【図８】同上の箱への収納過程を示す斜視図
【符号の説明】
【００２８】
１  基材
２  敷板
３  挿入穴
４  折上片
５  台部材
６  台板
７  底重板
８  段板
９  挿入穴
１０  係合片
１１  係合穴
１２  端立板
１３  把手穴
１４  係止突起
１５  載置片
１６  把手穴
１７  挿入穴
１８  ブロック体
２０  固定材
２１  頂板
２２  側板
２３  フランジ
２４  抜止片
２５  弱め線
２６  押罫線
２７  切目線
２８  支柱
３０  管支持材
３１  頂板
３２  側板
３３  嵌合板
３５  管仕切材
４０  管巻材
４１  外包板
４２  端板
４３  押圧板
４４  係止穴
４５  箱
Ｌ  照明器具
ｈ  穴
Ｓ  引掛シーリング
【図１】
0004727362.tif 000002
【図２】
0004727362.tif 000003
【図３】
0004727362.tif 000004
【図４】
0004727362.tif 000005
【図５】
0004727362.tif 000006
【図６】
0004727362.tif 000007
【図７】
0004727362.tif 000008
【図８】
0004727362.tif 000009